(57)【要約】【課題】意匠性を向上させることができる冷蔵庫を提供する。【解決手段】開口部が設けられた貯蔵庫２と、開口部に設けられた一対の断熱扉４を備え、一対の断熱扉４は、観音開き式扉であり、各断熱扉４の互いに対向している側面には、いずれも取付ガイド部材２４と、各断熱扉４が閉じられたときに互いに密着することで貯蔵庫２を封止する封止部材２６と、封止部材２６の取り外しを防止するキャップ３８とが設けられ、キャップ３８の上面３８Ｂと、各断熱扉４の上面または下面とは、略同一の高さとなっている。【選択図】図３
2020133921.tif 000002
【特許請求の範囲】
【請求項１】
開口部が設けられた貯蔵庫と、前記開口部に設けられた一対の断熱扉とを備え、
前記一対の断熱扉は、観音開き式扉であり、
前記各断熱扉の互いに対向している側面には、いずれも取付ガイド部材と、
前記各断熱扉が閉じられたときに互いに密着することで前記貯蔵庫を封止する封止部材と、
前記封止部材の取り外しを防止するキャップとが設けられ、
前記キャップの上面と、前記各断熱扉の上面または下面とは、略同一の高さとなっている
ことを特徴とする冷蔵庫。
【請求項２】
前記キャップは、前記各断熱扉の前記開口部側の面に固定部材によって固定されている
ことを特徴とする請求項１に記載の冷蔵庫。
【請求項３】
前記封止部材は、前記取付ガイド部材にスライドさせて取り付けられている
ことを特徴とする請求項１または２に記載の冷蔵庫。
【発明の詳細な説明】
【技術分野】
【０００１】
本発明は、冷蔵庫に関する。
【背景技術】
【０００２】
従来、貯蔵庫と、観音開き式扉である一対の断熱扉とを備えた冷蔵庫が知られている。このような冷蔵庫の各断熱扉の側面には、取付部材を介して、これらの断熱扉が閉じられたときに互いに密着するパッキンが設けられている。また、これらのパッキンの上下方向における両端には、各パッキンの両端を閉塞するために、キャップが被せられている（例えば、特許文献１参照）。
【先行技術文献】
【特許文献】
【０００３】
【特許文献１】特開２０１５−２５６３２号公報
【発明の概要】
【発明が解決しようとする課題】
【０００４】
しかしながら、上記のようなキャップの端面は、断熱扉の上面、または下面から突出して設けられている。このため、冷蔵庫の意匠性が低下することがあった。
本発明は、意匠性を向上させることができる冷蔵庫を提供することを目的とする。
【課題を解決するための手段】
【０００５】
本発明は、開口部が設けられた貯蔵庫と、前記開口部に設けられた一対の断熱扉を備え、前記一対の断熱扉は、観音開き式扉であり、前記各断熱扉の互いに対向している側面には、いずれも取付ガイド部材と、前記各断熱扉が閉じられたときに互いに密着することで前記貯蔵庫を封止する封止部材と、前記封止部材の取り外しを防止するキャップとが設けられ、前記キャップの上面と、前記各断熱扉の上面または下面とは、略同一の高さとなっていることを特徴とする冷蔵庫を提供する。
【０００６】
本発明は、上記冷蔵庫において、前記キャップは、前記各断熱扉の前記開口部側の面に固定部材によって固定されていることを特徴とする。
【０００７】
本発明は、上記冷蔵庫において、前記封止部材は、前記取付ガイド部材にスライドさせて取り付けられていることを特徴とする。
【発明の効果】
【０００８】
本発明によれば、意匠性を向上させることができる。
【図面の簡単な説明】
【０００９】
【図１】本発明の実施形態に係る冷蔵庫の正面図
【図２】断熱扉の斜視図
【図３】断熱扉と、取付ガイド部材と、封止部材とを示した分解斜視図
【図４】図１のＩＶ−ＩＶ断面図
【図５】封止部材の一方の端部側を示す斜視図
【図６】（Ａ）は、キャップと断熱扉の上面との分解斜視図であり、（Ｂ）は、断熱扉の上面の斜視図
【発明を実施するための形態】
【００１０】
第１の発明は、開口部が設けられた貯蔵庫と、開口部に設けられた一対の断熱扉を備え、一対の断熱扉は、観音開き式扉であり、各断熱扉の互いに対向している側面には、いずれも取付ガイド部材と、各断熱扉が閉じられたときに互いに密着することで貯蔵庫を封止する封止部材と、封止部材の取り外しを防止するキャップとが設けられ、キャップの上面と、各断熱扉の上面または下面とは、略同一の高さとなっていることを特徴とする冷蔵庫である。
これによれば、断熱扉の上面に対して、キャップが突出せず、当該断熱扉の上面全体が平坦となる。
このため、冷蔵庫の意匠性を向上させることができる。
【００１１】
第２の発明は、キャップは、各断熱扉の開口部側の面に固定部材によって固定されていることを特徴とする冷蔵庫である。
これによれば、工具等を用いてキャップの取り付け、及び取り外しを行うこととなる。
このため、冷蔵庫の通常の使用時や、メンテナンス作業時において、キャップの脱落を抑制することができる。
【００１２】
第３の発明は、封止部材は、取付ガイド部材にスライドさせて取り付けられていることを特徴とする冷蔵庫である。
これによれば、封止部材は、取付ガイド部材に固定部材や、工具等を用いずに固定される。
このため、冷蔵庫の部品点数を削減することができると共に、製造、及びメンテナンス作業を容易に行うことができる。
【００１３】
以下、図面を参照して本発明の実施形態について説明する。
図１は、本発明の実施形態に係る冷蔵庫１の正面図である。
冷蔵庫１は、図１に示すように、アンダーカウンター型の業務用冷蔵庫であり、当該冷蔵庫１は、貯蔵庫２と、複数の断熱扉４と、機械室５と、トップテーブル６とを備えている。
貯蔵庫２は、断熱壁を備えた箱状部材であり、当該貯蔵庫２は、内部に貯蔵室が設けられ、前面が開口している。
【００１４】
複数の断熱扉４は、貯蔵庫２の開口を閉塞する矩形状の扉部材である。本実施形態の冷蔵庫１は、一対の断熱扉４を備えており、これらの断熱扉４は、互いに一方の側面を隣接させて配置されている。また、各断熱扉４の上面及び下面には、各断熱扉４の他方の側面側に位置する箇所にヒンジ８が設けられている。これらのヒンジ８によって、一対の断熱扉４は、冷蔵庫１の左右方向に開閉可能となっている。すなわち、一対の断熱扉４は、観音開き扉となっている。
また、各断熱扉４の前面には、いずれも互いに隣接する側面側にハンドル１０が設けられている。
【００１５】
機械室５は、貯蔵庫２の側方に配置されている。当該機械室５の内部には、圧縮機、凝縮器、膨張器、蒸発器等の冷凍サイクルを構成する装置が収められており、これらが駆動することによって、貯蔵室の内部に冷気が送り込まれる。
また、貯蔵庫２と、機械室５との上面には、トップテーブル６が取り付けられている。
【００１６】
次いで断熱扉４について詳述する。
図２は、断熱扉４の斜視図である。なお、図２は、断熱扉４の背面側から視た図となっている。
図３は、断熱扉４と、取付ガイド部材２４と、封止部材２６とを示した分解斜視図であり、図４は、図１のＩＶ−ＩＶ断面図である。なお、図３において、軟質材料で形成された側面パッキン２８と、ひれ部材３２とには、説明の便宜上ドットを付している。
断熱扉４は、図２に示すように、所定の厚さを有した平板状の部材であり、当該断熱扉４の前面と、両側面と、上面と、下面と、背面の外縁とは、いずれもステンレス鋼板等の金属によって一体に形成された扉外装板１２によって構成されている。また、断熱扉４の背面中央部は、硬質樹脂で形成された扉内装板１４によって構成されている。この扉内装板１４は、断熱扉４の背面の外縁よりも、貯蔵室の内部側に突出している。
これらの扉外装板１２、及び扉内装板１４によって囲まれた空間には、発泡スチロールや硬質ウレタンフォーム等の断熱材１６が充填されている。
なお、扉外装板１２は、金属に限らずＡＢＳ樹脂等の硬質樹脂で形成されていてもよい。
【００１７】
断熱扉４の背面側の外縁（外周部分）には、全周に亘って外縁パッキン取付溝１８が設けられている。この外縁パッキン取付溝１８には、複数の外縁パッキン２０が取り付けられている。
複数の外縁パッキン２０は、ゴム等の軟質樹脂で形成され、断熱扉４の外縁の各辺に対応するように、それぞれが線状に成形されている。各外縁パッキン２０の前面は、当該外縁パッキン２０の長手方向全体に亘って滑らかに成形されており、また、各外縁パッキン２０の背面には、当該外縁パッキン２０の長手方向全体に亘って凸部２０Ａが突出して設けられている。
この凸部２０Ａが外縁パッキン取付溝１８に挿入されることによって、外縁パッキン２０が扉外装板１２に取り付けられる。
【００１８】
また、各外縁パッキン２０は、内部に空間を有した中空状に形成されている。この空間内の外縁パッキン２０の前面側には、長手方向全体に亘って、断面矩形状の外縁マグネット収容部２０Ｂが設けられている。さらに、この外縁マグネット収容部２０Ｂには、４本の棒状の外縁マグネット２２が収容されている。各外縁マグネット２２は、断熱扉４の背面の各辺と同程度の長さを有しており、これらが各辺に沿って各外縁マグネット収容部２０Ｂに挿通されている。
なお、外縁パッキン２０は、線状に限らず、一体に成型された矩形の枠体であってもよい。
【００１９】
次いで、断熱扉４の側面の構成について説明する。
以下、一方の断熱扉４の側面について説明するが、他方の断熱扉４についても同様の構成となっている。
図３に示すように、各断熱扉４の他方の断熱扉４に隣接する側の側面には、取付ガイド部材２４を介して封止部材２６が設けられている。
【００２０】
取付ガイド部材２４は、硬質材料としての硬質樹脂から形成されている。この取付ガイド部材２４は、図４に示すように、断熱扉４の側面と同程度の長さを備え、断面がコ字状となるように成形されたレール状の部材であり、当該取付ガイド部材２４は、上下方向が断熱扉４の上下方向に沿うように取り付けられている。また、この取付ガイド部材２４の幅寸法は、断熱扉４の側面の幅寸法と同程度に形成されており、当該取付ガイド部材２４は、底面２４Ａにおいて、数個所をねじ止めされることによって、断熱扉４の側面に固定されている。このため、断熱扉４の側面、及び取付ガイド部材２４の底面２４Ａには、それぞれ複数のねじ孔１２Ａ、２４Ｂが設けられている。
【００２１】
取付ガイド部材２４の貯蔵庫２側には、当該取付ガイド部材２４の上下方向全体に亘って、筒状のパッキンガイド溝２４Ｃが設けられている。このパッキンガイド溝２４Ｃは、底面２４Ａから他方の断熱扉４の側面に向かって突出して設けられており、また、当該パッキンガイド溝２４Ｃは、貯蔵庫２側に位置する箇所の一部が開放されている。パッキンガイド溝２４Ｃには、後述する側面パッキン２８が備える挿通部２８Ｆ１が挿通されている。
【００２２】
また、パッキンガイド溝２４Ｃの断熱扉４の前面側には、後述するヒータ３６を保持するヒータ保持部２４Ｄが設けられている。このヒータ保持部２４Ｄは、溝状に形成され、他方の断熱扉４の側面側が開放されている。
さらに、ヒータ保持部２４Ｄの断熱扉４の前面側には、保持部係合片２４Ｅが設けられている。この保持部係合片２４Ｅは、断熱扉４の前面側に突出する爪状に形成されている。この保持部係合片２４Ｅには、後述するカバー部材３０が備えるカバー部材係合片３０Ｂが係合されている。
【００２３】
取付ガイド部材２４の断熱扉４の前面側には、係止部２４Ｆが設けられている。この係止部２４Ｆは、パッキンガイド溝２４Ｃと同様に、底面２４Ａから他方の断熱扉４の側面に向かって突出して設けられており、当該係止部２４Ｆは、先端が爪状に湾曲している。この係止部２４Ｆは、後述するカバー部材３０が備える係止溝３０Ｃに挿通されている。
【００２４】
次いで、封止部材２６について説明する。
図５は、封止部材２６の一方の端部側を示す斜視図である。なお、図５において、軟質材料で形成された側面パッキン２８と、ひれ部材３２とには、説明の便宜上ドットを付している。
封止部材２６は、図３、及び図５に示すように、側面パッキン２８と、カバー部材３０と、ひれ部材３２とを備え、これらが一体に成形されることで形成されている。この封止部材２６は、取付ガイド部材２４と同程度の長さを備え、断面がコ字状となるように成形されたレール状の部材であり、当該封止部材２６は、上下方向が断熱扉４の上下方向に沿うように取り付けられている。
【００２５】
側面パッキン２８は、封止部材２６の貯蔵庫２側に位置する箇所を構成しており、当該側面パッキン２８は、軟質材料であるゴム等の軟質樹脂で形成されている。この側面パッキン２８は、断面がＬ字状に成形され、当該Ｌ字形状の角部に相当する箇所には、断面が矩形の空間となるように区切られた側面マグネット収容部２８Ａが設けられている。
この側面マグネット収容部２８Ａには、棒状の側面マグネット３４が挿通されている。
【００２６】
また、側面マグネット３４が収容された側面マグネット収容部２８Ａの両端は、抜け止め部材３５によって閉塞される。抜け止め部材３５は、断面がＬ字状になるように折り曲げられて形成された板状部材である。この抜け止め部材３５は、一方の端部である差し込み部３５Ａが側面マグネット収容部２８Ａの上下方向の各端部に差し込まれることによって側面パッキン２８に装着され、側面マグネット３４の脱落を防いでいる。
【００２７】
側面マグネット収容部２８Ａの貯蔵庫２側には、第１シール部２８Ｂが設けられている。この第１シール部２８Ｂは、外縁パッキン２０側に延びており、当該第１シール部２８Ｂの先端には、第２シール部２８Ｃが設けられている。この第２シール部２８Ｃは、貯蔵庫２側に突出した後、他方の断熱扉４側に屈曲して延びている。すなわち、第１シール部２８Ｂと、第２シール部２８Ｃは、図４に示すように断面がコ字状となるように形成されている。
また、第２シール部２８Ｃの先端部２８Ｃ１は、側面マグネット収容部２８Ａの他方の断熱扉４側に位置する面と同程度の位置まで延びている。
この第２シール部２８Ｃの上下方向における長さは、側面パッキン２８の上下方向における長さよりも短く、扉内装板１４の上下方向における長さと同程度の長さとなっている。
【００２８】
また、第１シール部２８Ｂの外縁パッキン２０側には、ひれ部２８Ｄが設けられている。このひれ部２８Ｄは、外縁パッキン２０側に延び、その先端が当該外縁パッキン２０に当接されている。
【００２９】
側面マグネット収容部２８Ａの断熱扉４の前面側には、連結部２８Ｅが設けられている。この連結部２８Ｅは、断熱扉４の前面側に延びるひれ状に形成されており、当該連結部２８Ｅの先端は、カバー部材３０の底面３０Ａに結合されている。
【００３０】
側面マグネット収容部２８Ａの断熱扉４の側面側には、伸長部２８Ｆが設けられている。この伸長部２８Ｆは、側面マグネット収容部２８Ａの断熱扉４の側面側から、断熱扉４の側面に向かって延びた後、断熱扉４の前面に向かって延びている。すなわち、伸長部２８Ｆは、断面Ｌ字状に形成されている。また、伸長部２８Ｆの先端には、断面がＴ字状に形成された挿通部２８Ｆ１が設けられている。この挿通部２８Ｆ１は、上述の通り、パッキンガイド溝２４Ｃに挿通される。
【００３１】
次いで、カバー部材３０について説明する。
カバー部材３０は、硬質材料としての硬質樹脂から形成されている。このカバー部材３０は、断面がコ字状に形成されており、当該カバー部材３０の底面３０Ａの貯蔵庫２側に位置する端部には、上述の通り、側面パッキン２８の連結部２８Ｅが結合されている。
また、カバー部材３０の底面３０Ａの貯蔵庫２側に位置する端部には、カバー部材係合片３０Ｂが設けられている。このカバー部材係合片３０Ｂは、断熱扉４の側面に向かって突出しており、当該カバー部材係合片３０Ｂの先端は、爪状に形成されている。上述の通り、カバー部材係合片３０Ｂは、保持部係合片２４Ｅに係合されている。
さらに、カバー部材係合片３０Ｂには、リブ３０Ｂ１が設けられている。リブ３０Ｂ１は、貯蔵庫２側に向かって突出しており、当該リブ３０Ｂ１は、ヒータ３６が保持されたヒータ保持部２４Ｄの開放された箇所を閉塞している。
【００３２】
カバー部材３０の底面３０Ａにおいて、断熱扉４の前面側に位置する端部には、係止溝３０Ｃが設けられている。この係止溝３０Ｃは、断熱扉４の側面に向かって突出しており、当該係止溝３０Ｃは、断熱扉４の側面側に位置する箇所が開放されている。係止溝３０Ｃには、上述の通り、係止部２４Ｆが挿通されている。
【００３３】
係止溝３０Ｃの断熱扉４の前面側に位置する先端には、ひれ部材３２が一体に設けられている。このひれ部材３２は、側面パッキン２８と同様に、軟質材料であるゴム等の軟質樹脂で形成されている。また、ひれ部材３２は、断熱扉４の側面に向かって延びており、当該ひれ部材３２の先端は、断熱扉４の側面に当接されている。
【００３４】
また、取付ガイド部材２４と、封止部材２６との間には、線状のヒータ３６が挟み込まれている。このヒータ３６は、封止部材２６を加熱して結露や凍結が生じることを抑制するものであり、当該ヒータ３６は、断熱扉４の側面の上下方向全体に亘って、ループ状に配置されている。また、ヒータ３６は、上述の通り、ヒータ保持部２４Ｄに挟み込まれ、さらに、当該ヒータ保持部２４Ｄの開放箇所がリブ３０Ｂ１によって閉塞されることで、取付ガイド部材２４と、封止部材２６との間に固定されている。
【００３５】
次いでキャップ３８について説明する。以下、一方のキャップ３８について説明するが、他方のキャップ３８についても同様の構成となっている。
図６（Ａ）は、キャップ３８と断熱扉４の上面との分解斜視図であり、図６（Ｂ）は、断熱扉の上面の斜視図である。
取付ガイド部材２４と、封止部材２６との上下方向における両端は、いずれもキャップ３８によって閉塞されている。キャップ３８は、図３、及び図６に示すように、上面視でＬ字状に形成された平板部材であり、当該キャップ３８の一方の端部は、断熱扉４の側面の短手方向に沿って延びている。また、キャップ３８の他方の端部は、断熱扉４の背面の外縁側に回り込み、当該外縁、及び外縁パッキン２０の上面に沿って延びている。
【００３６】
キャップ３８の裏面には、下方に向かって突出する一対の差し込み部３８Ａが設けられている。差し込み部３８Ａは、取付ガイド部材２４と、封止部材２６とで囲まれた空間内に差し込まれている。詳述すると、一方の差し込み部３８Ａが取付ガイド部材２４の底面２４Ａの内側に沿って差し込まれ、他方の差し込み部３８Ａがカバー部材３０の底面３０Ａの内側に沿って差し込まれている。これによって、取付ガイド部材２４と、封止部材２６との間に埃や塵が侵入することが抑制されると共に、ヒータ３６が覆われ、保護される。
【００３７】
キャップ３８の他方の端部側に位置する先端には、ねじ止め孔３８Ｃが設けられている。また、断熱扉４の背面の外縁には、ねじ孔１２Ｂが設けられている。キャップ３８は、ねじ止め孔３８Ｃと、ねじ孔１２Ｂとがねじ４０によってねじ止めされることによって、断熱扉４に固定される。
このように、ねじ４０のような固定部材を用いてキャップ３８を固定することによって、冷蔵庫１の通常の使用時や、メンテナンス作業時において、当該キャップ３８の脱落を抑制することができる。このため、キャップ３８の紛失や、貯蔵室内の商品への混入を抑制することができる。
また、封止部材２６が上下方向にスライドすることを抑制し、当該封止部材２６が取付ガイド部材２４から脱落することを抑制できる。
さらに、キャップ３８を断熱扉４の背面の外縁側においてねじ止めすることによって、各断熱扉４が閉止されたときに、ねじ４０が冷蔵庫１の正面から目視されない箇所に配置され、当該冷蔵庫１の意匠性を向上させることができる。
【００３８】
また、断熱扉４に取り付けられたキャップ３８の上面３８Ｂは、断熱扉４の上面と略同一の高さとなっている。
【００３９】
次に、本実施形態の作用について説明する。
まず、封止部材２６を取付ガイド部材２４に取り付ける手順について説明する。
まず、ヒータ３６がヒータ保持溝２４Ｅに挟み込まれる。次いで、封止部材２６の一方の端部を取付ガイド部材２４の一方の端部に上下方向にスライドさせながら挿通させることで、封止部材２６は、取付ガイド部材２４に固定される。
これによって、封止部材２６は、取付ガイド部材２４に固定部材や、工具等を用いずに固定される。このため、冷蔵庫１の部品点数を削減することができると共に、当該冷蔵庫の製造、及びメンテナンス作業を容易に行うことができる。
【００４０】
冷蔵庫１の一対の断熱扉４が閉止されると、外縁マグネット２２が貯蔵庫２に磁力で引き付けられ、外縁パッキン２０の内、断熱扉４のヒンジ８側の側面と、断熱扉４の上面及び下面に沿った箇所が貯蔵庫２に密着する。
また、各断熱扉４の封止部材２６のそれぞれが備える側面マグネット３４同士は、磁力によって、互いに引き付けられる。これによって、各伸長部２８Ｆ、及び連結部２８Ｅが互いに他方の断熱扉４の側面に向かって伸長する。そして、各側面マグネット収容部２８Ａの他方の断熱扉４側に位置する収容部側面２８Ａ１同士が密着することで、各断熱扉４の側面間が封止される。
【００４１】
また、収容部側面２８Ａ１同士が密着すると、各第２シール部２８Ｃの先端部２８Ｃ１同士が当接する。これによって、各第１シール部２８Ｂと各第２シール部２８Ｃとによって囲まれた空間Ｓ１が形成される。この空間Ｓ１内の空気が断熱空気層として作用し、側面パッキン２８同士の隙間から貯蔵室の内部に熱が侵入することを抑制すると共に、貯蔵室の内部の冷気が漏出することが抑えられる。
【００４２】
さらに、各断熱扉４の側面には、取付ガイド部材２４と、伸長部２８Ｆと、第１シール部２８Ｂと、ひれ部２８Ｄと、外縁パッキン２０とで囲まれた空間Ｓ２が形成されている。この空間Ｓ２内の空気もまた、断熱空気層として作用する。
加えて、上述の通り、ひれ部材３２は、断熱扉４の側面に当接している。これらの断熱空気層と、ひれ部材３２とによって、断熱扉４の側面と、取付ガイド部材２４との間から貯蔵室の内部に熱が侵入することを抑制すると共に、貯蔵室の内部から冷気が漏出することが抑えられる。
【００４３】
上述の通り、断熱扉４に取り付けられたキャップ３８の上面３８Ｂは、断熱扉４の上面と略同一の高さとなっている。
これによって、断熱扉４の上面に対して、キャップ３８が突出せず、当該断熱扉４の上面全体が平坦となる。このため、冷蔵庫１の意匠性を向上させることができる。
【００４４】
上述した実施形態によれば、次のような効果を奏する。
【００４５】
本実施形態の冷蔵庫１は、開口部が設けられた貯蔵庫２と、開口部に設けられた一対の断熱扉４を備えている。これらの断熱扉４は、観音開き式扉であり、各断熱扉４の互いに対向している側面には、いずれも取付ガイド部材２４と、封止部材２６と、一対のキャップ３８とが設けられている。そして、これらのキャップ３８の上面３８Ｂと、各断熱扉４の上面または下面とは、略同一の高さとなっている構成とした。
これによって、断熱扉４の上面に対して、キャップ３８が突出せず、当該断熱扉４の上面全体が平坦となる。このため、冷蔵庫１の意匠性を向上させることができる。
【００４６】
また、本実施形態によれば、各キャップ３８は、各断熱扉４の背面側の外縁に固定部材であるネジによって固定されている構成とした。これによって、冷蔵庫１の通常の使用時や、メンテナンス作業時において、キャップ３８の脱落を抑制することができる。また、各断熱扉４が閉止されたときに、ねじ４０が冷蔵庫１の正面から目視されない箇所に配置され、当該冷蔵庫１の意匠性を向上させることができる。
【００４７】
また、本実施形態によれば、封止部材２６は、取付ガイド部材２４にスライドさせて取り付けられている構成とした。これによって、ユーザは、封止部材２６を、取付ガイド部材２４に固定部材や工具等を用いずに固定することができる。
【００４８】
上述した実施形態は、本発明の一態様を例示したものであって、本発明の趣旨を逸脱しない範囲で任意に変形、及び応用が可能である。
【００４９】
例えば、本実施形態では、冷蔵庫１を２ドア式のアンダーカウンター型冷蔵庫としたが、これに限らず、４ドア式の縦型冷蔵庫といったドア数の異なる冷蔵庫に適用してもよい。
【符号の説明】
【００５０】
１  冷蔵庫
２  貯蔵庫
４  断熱扉
１２  扉外装板
１２Ａ、１２Ｂ、２４Ｂ  ねじ孔
１４  扉内装板
２０  外縁パッキン
２０Ａ  凸部
２４  取付ガイド部材
２４Ａ  底面
２４Ｃ  パッキンガイド溝
２４Ｄ  ヒータ保持部
２４Ｅ  ヒータ保持溝
２４Ｆ  係止部
２６  封止部材
２８  側面パッキン（パッキン）
２８Ａ  側面マグネット収容部
２８Ａ１  収容部側面
２８Ｂ  第１シール部
２８Ｃ  第２シール部
２８Ｃ１  先端部
２８Ｄ  ひれ部
２８Ｅ  連結部
２８Ｆ  伸長部
３０  カバー部材
３０Ａ  底面
３０Ｂ１  リブ
３０Ｃ  係止溝
３２  ひれ部材
３４  側面マグネット
３５  抜け止め部材
３５Ａ、３８Ａ  差し込み部
３６  ヒータ
３８  キャップ
３８Ｂ  上面
３８Ｃ  ねじ止め孔
４０  ねじ
Ｓ１、Ｓ２  空間
【図１】
2020133921.tif 000003
【図２】
2020133921.tif 000004
【図３】
2020133921.tif 000005
【図４】
2020133921.tif 000006
【図５】
2020133921.tif 000007
【図６】
2020133921.tif 000008